(57)【要約】【課題】無線タグを用いて、提示物や展示物に関する情報を容易に検索可能にする。【解決手段】掲示物または展示物１０に取り付けられ、これらの掲示物または展示物に関する提供情報を掲載してあるＵＲＬを記録した無線１０２タグと、無線タグ１０２に近づいたときに、この無線タグ１０２からＵＲＬを含む情報を受信して表示し、そのＵＲＬとの接続要求を送信する情報提供端末１０３と、情報提供端末１０３から接続要求を受けたとき、ＵＲＬが自身の情報記録部１０７内にある場合または外部の情報提供サーバ１１０−１〜１１０−ｎにある場合に、それぞれ情報提供端末１０３にＵＲＬに対する接続を仲介する情報提供装置１０４とを備える。【選択図】            図１
2004348243.tif 000002
【特許請求の範囲】
【請求項１】
掲示物または展示物に取り付けられ、これらの掲示物または展示物に関する提供情報を掲載してあるＵＲＬまたはＵＲＬに変換可能な情報を記録した無線タグと、
無線タグに近づいたときに、この無線タグからＵＲＬまたはＵＲＬに変換可能な情報を含む情報を受信して表示し、そのＵＲＬとの接続要求を送信する情報提供端末と、
情報提供端末から接続要求を受けたとき、ＵＲＬが自身の情報記録部内にある場合または外部の情報提供サーバにある場合に、それぞれ情報提供端末にＵＲＬに対する接続を仲介する情報提供装置と、
を備えたことを特徴とする情報提供システム。
【請求項２】
掲示物または展示物に取り付けられ、これらの掲示物または展示物に関するキーワードを記録した無線タグと、
無線タグに近づいたときに、この無線タグからキーワードを含む情報を受信して表示し、利用者により指定されたキーワードに対する検索要求を送信する情報提供端末と、
情報提供端末から検索要求を受けたとき、キーワードに対応するデータが自身の情報記録部内にある場合はこれを提供し、または外部の情報提供サーバに対して検索を行って検索結果のＵＲＬリストを情報提供端末に返信し、利用者からＵＲＬを指定して接続要求があった情報提供端末にＵＲＬ対応の情報を提供する情報提供装置と、
を備えたことを特徴とする情報提供システム。
【請求項３】
掲示物または展示物に取り付けられ、これらの掲示物または展示物に関する電子商取引用データを記録した無線タグと、
無線タグに近づいたときに、この無線タグから電子商取引用データを受信し、電子商取引用アプリケーションを起動して、購入設定画面を表示するとともに、電子商取引の承認要求を暗号鍵で暗号化して送信する情報提供端末と、
情報提供端末からの承認要求を暗号鍵で復号し、暗号鍵と情報提供端末の貸し出し時に登録された個人情報が一致するとき、電子証明書を暗号化して情報提供端末に送信する情報提供装置と、
電子証明書を受信した情報提供端末から送信され、暗号鍵で暗号化した電子商取引の内容と電子証明書とを情報提供装置から受信して確認し、確認した電子商取引の結果を情報提供装置を介して情報提供端末へ返信する電子商取引システムと、
を備えたことを特徴とする情報提供システム。
【請求項４】
前記無線タグに記録された情報が、情報端末装置が認識できる情報に圧縮または暗号化されていることを特徴とする請求項１〜請求項３のいずれかに記載の情報提供システム。
【請求項５】
掲示物または展示物に取り付けられた無線タグに近づいたときに、この無線タグから掲示物または展示物に関する提供情報の掲載があるＵＲＬを含む情報を情報提供端末が受信して表示し、そのＵＲＬとの接続要求を送信するステップと、
情報提供端末から接続要求を受けたとき、ＵＲＬが自身の情報記録部内にある場合または外部の情報提供サーバにある場合に、情報提供装置がそれぞれ情報提供端末にＵＲＬに対する接続を仲介するステップと、
を含むことを特徴とする情報提供方法。
【請求項６】
掲示物または展示物に取り付けられた無線タグに近づいたときに、この無線タグから掲示物または展示物に関するキーワードを含む情報を情報提供端末が受信して表示し、利用者により指定されたキーワードに対する検索要求を送信するステップと、
情報提供端末から検索要求を受けたとき、キーワードに対応するデータが自身の情報記録部内にある場合はこれを提供し、または外部の情報提供サーバに対して情報提供装置が検索を行って検索結果のＵＲＬリストを情報提供端末に返信し、利用者からＵＲＬを指定して接続要求があった情報提供端末にＵＲＬ対応の情報を提供するステップと、
を含むことを特徴とする情報提供方法。
【請求項７】
掲示物または展示物に取り付けられた無線タグに近づいたときに、この無線タグから掲示物または展示物に関する電子商取引用データを情報提供端末が受信し、電子商取引用アプリケーションを起動して、購入設定画面を表示するとともに、電子商取引の承認要求を暗号鍵で暗号化して送信するステップと、
情報提供端末からの承認要求を情報提供装置が暗号鍵で復号し、暗号鍵と情報提供端末の貸し出し時に登録された個人情報が一致するとき、電子証明書を暗号化して情報提供端末に送信するステップと、
電子証明書を受信した情報提供端末から送信され、暗号鍵で暗号化した電子商取引の内容と電子証明書とを電子商取引システムが情報提供装置から受信して確認し、確認した電子商取引の結果を情報提供装置を介して情報提供端末へ返信するステップと、
を含むことを特徴とする情報提供方法。
【発明の詳細な説明】
【０００１】
【発明の属する技術分野】
本発明は、美術品、商品、商品サンプルなどの展示物の説明や、ポスター、商品広告などの掲示物を用いた宣伝活動の支援を行う情報提供システムおよび情報提供方法に関するものである。
【０００２】
【従来の技術】
従来から、ポスターなどの掲示物や商品サンプルなどの展示物は、人が視覚的に理解しやすい媒体であり、商品の説明や宣伝活動に欠かせないものである。また、美術館、博物館などでは、展示物に関する情報を提供するために、情報端末を携帯して展示物に近づくと、音声ガイダンスが繰り返し再生されるサービスもある。このような音声ガイダンスによるサービスでは、常に利用者が受身であり、いわゆる一方向の放送サービスである。
【０００３】
一方、学習対象物に関する情報を記録した情報処理装置および記録装置が、通信手段を介して学習対象物が存在する場所にある情報端末と通信を行うことにより、学習者の要求に応じて学習対象物に関する情報を提供する方法が提案されている（例えば、特許文献１参照）。この方法では、ネットワークを介して、ユーザの要求によりある特定の情報が取得でき、いわゆるサーバ・クライアント型の情報サービスを実現できる。
【０００４】
また、無線端末から送信される信号をトリガとして、予め記憶している情報の読み出しや、追加情報の書き込みが可能な無線タグ（ＲＦＩＤ：Ｒａｄｉｏ  Ｆｒｅｑｕｅｎｃｙ  Ｉｄｅｎｔｉｆｉｃａｔｉｏｎ）を掲示物に添付しておき、掲示物に無線端末を持って近づくと、無線タグに記録されている情報が、無線端末に自動的に提供される情報提供方法が提案されている（例えば、特許文献２参照）。この方法では、掲示物などに表示されている特定のチケットの予約や、ホームページアドレス、電話番号などの連絡先情報の取得も可能である。このように利用者のニーズの多様化から、人が視覚的に得られる情報に、通信ネットワークを介して何らかの情報を付加するサービスが増えている。
【０００５】
【特許文献１】
特開平８−３２８４５８号公報（第３頁、図１）
【特許文献２】
特開２００２−２６８５９３号公報（第３頁、図１）
【０００６】
【発明が解決しようとする課題】
ＩＴ（情報技術）が発展するに従って、インターネットなど利用価値の高いネットワークに接続して、より多くの情報を得るための情報検索を行ったり、電子取引にて簡単に商品売買を行ったりすることに対するニーズが高まっている。インターネット上の広告だけでなく、実空間の掲示物や展示物に関しても、同様のニーズが生じることは明らかである。
【０００７】
無電源で動作し、しかも対象物の形状にあまり左右されずに添付できる前記無線タグは、非常に使い勝手の良い情報提供装置である。しかしながら、商品価格など日々変化する情報を無線タグにいちいち記録させていたのでは、管理運営に手間がかかる。また、対象物に関する情報をインターネット等で検索する場合にはキーワードを入力する必要があるが、ＰＤＡ（携帯情報端末）や携帯電話などの携帯端末を用いる場合、基本的には、タッチパネルを用いたソフトウェアキーボードやボタンを使って入力しなければならない。さらに、対象物やチケットなどを購入する場合は、クレジットカードの決済などに必要な個人認証機能が必要になるが、提供情報と連動して管理できる方法はあまり見当たらない。
【０００８】
本発明の目的は、無線タグを用いた情報提供方法に、利用者が関連情報を容易に検索したり、個人認証を安全に行ったりする機能を付加することによって、利用者と情報提供者が相互に情報のやり取りを安全に行うことができ、かつ利用者が必要とする情報を容易に得ることができる情報提供システムおよび情報提供方法を提供することにある。
【０００９】
【課題を解決するための手段】
前記目的達成のため、請求項１の発明にかかる情報提供システムは、掲示物または展示物に取り付けられ、これらの掲示物または展示物に関する提供情報を掲載してあるＵＲＬを記録した無線タグと、無線タグに近づいたときに、この無線タグからＵＲＬを含む情報を受信して表示し、そのＵＲＬとの接続要求を送信する情報提供端末と、情報提供端末から接続要求を受けたとき、ＵＲＬが自身の情報記録部内にある場合または外部の情報提供サーバにある場合にそれぞれ情報提供端末にＵＲＬに対する接続を仲介する情報提供装置と、を備えたことを特徴とする。
【００１０】
これにより、無線タグに情報量の小さいＵＲＬを記録しておくだけで、利用者が必要とする情報を、情報提供装置のみからでなく、ネットワークを介して情報提供サーバから情報提供端末に提供できる。
【００１１】
また、請求項２の発明にかかる情報提供システムは、掲示物または展示物に取り付けられ、これらの掲示物または展示物に関するキーワードを記録した無線タグと、無線タグに近づいたときに、この無線タグからキーワードを含む情報を受信して表示し、利用者により指定されたキーワードに対する検索要求を送信する情報提供端末と、情報提供端末から検索要求を受けたとき、キーワードに対応するデータが自身の情報記録部内にある場合はこれを提供し、または外部の情報提供サーバに対して検索を行って検索結果のＵＲＬリストを情報提供端末に返信し、利用者からＵＲＬを指定して接続要求があった情報提供端末にＵＲＬ対応の情報を提供する情報提供装置と、を備えたことを特徴とする。
【００１２】
これにより、インターネットに接続可能な情報提供端末から検索エンジンを用いて関連情報を検索するキーワードを転送することで、検索を単純化でき、情報提供者が提供する情報以外にインターネット上にある有益な情報を利用して、利用者の便宜を図ることができる。
【００１３】
また、請求項３の発明にかかる情報提供システムは、掲示物または展示物に取り付けられ、これらの掲示物または展示物に関する電子商取引用データを記録した無線タグと、無線タグに近づいたときに、この無線タグから電子商取引用データを受信し、電子商取引用アプリケーションを起動して、購入設定画面を表示するとともに、電子商取引の承認要求を暗号鍵で暗号化して送信する情報提供端末と、情報提供端末からの承認要求を暗号鍵で復号し、暗号鍵と情報提供端末の貸し出し時に登録された個人情報が一致するとき、電子証明書を暗号化して情報提供端末に送信する情報提供装置と、電子証明書を受信した情報提供端末から送信され、暗号鍵で暗号化した電子商取引の内容と電子証明書とを情報提供装置から受信して確認し、確認した電子商取引の結果を情報提供装置を介して情報提供端末へ返信する電子商取引システムと、を備えたことを特徴とする。
【００１４】
これにより、情報提供装置が個人認証局となって利用者に対し電子証明書を発行し、これを用いて無線タグが添付された掲示物や展示物（商品を含む）の電子商取引を安全に行えるようにしている。
【００１５】
また、請求項４の発明にかかる情報提供システムは、前記無線タグに記録された情報が、情報端末装置が認識できる情報に圧縮または暗号化されていることを特徴とする。
【００１６】
これにより、無線タグの記憶情報量を増大でき、無線媒体により伝送する情報の秘匿性を確保しながら、通信容量負荷を削減できる。
【００１７】
また、請求項５の発明にかかる情報提供方法は、掲示物または展示物に取り付けられた無線タグに近づいたときに、この無線タグから掲示物または展示物に関する提供情報の掲載があるＵＲＬを含む情報を情報提供端末が受信して表示し、そのＵＲＬとの接続要求を送信するステップと、情報提供端末から接続要求を受けたとき、ＵＲＬが自身の情報記録部内にある場合または外部の情報提供サーバにある場合に情報提供装置がそれぞれ情報提供端末にＵＲＬに対する接続を仲介するステップと、を含むことを特徴とする。
【００１８】
これにより、無線タグが有するＵＲＬを用いて必要とする情報を容易に検索することができる。
【００１９】
また、請求項６の発明にかかる情報提供方法は、掲示物または展示物に取り付けられた無線タグに近づいたとき、この無線タグから掲示物または展示物に関するキーワードを含む情報を情報提供端末が受信して表示し、利用者により指定されたキーワードに対する検索要求を送信するステップと、情報提供端末から検索要求を受けたとき、キーワードに対応するデータが自身の情報記録部内にある場合はこれを提供し、または外部の情報提供サーバに対して情報提供装置が検索を行って検索結果のＵＲＬリストを情報提供端末に返信し、利用者からＵＲＬを指定して接続要求があった情報提供端末にＵＲＬ対応の情報を提供するステップと、を含むことを特徴とする。
【００２０】
これにより、検索エンジンを用いてキーワードに関連する情報を簡単、迅速に検索することができる。
【００２１】
また、請求項７の発明にかかる情報提供方法は、掲示物または展示物に取り付けられた無線タグに近づいたときに、この無線タグから掲示物または展示物に関する電子商取引用データを情報提供端末が受信し、電子商取引用アプリケーションを起動して、購入設定画面を表示するとともに、電子商取引の承認要求を暗号鍵で暗号化して送信するステップと、情報提供端末からの承認要求を情報提供装置が暗号鍵で復号し、暗号鍵と情報提供端末の貸し出し時に登録された個人情報が一致するとき、電子証明書を暗号化して情報提供端末に送信するステップと、電子証明書を受信した情報提供端末から送信され、暗号鍵で暗号化した電子商取引の内容と電子証明書とを電子商取引システムが情報提供装置から受信して確認し、確認した電子商取引の結果を情報提供装置を介して情報提供端末へ返信するステップと、を含むことを特徴とする。
【００２２】
これにより、インターネットなどを利用した電子商取引を、個人認証によって安全に行えるとともに、無線タグに格納した提供情報と連動して商品売買がインタラクティブに実現できる。
【００２３】
【発明の実施の形態】
以下に、本発明の実施の形態を図面を参照して詳細に説明する。
【００２４】
（実施の形態１）
図１は本発明にかかる情報提供システムの実施の形態１を示すシステム構成図であり、１０１はポスター、商品広告などの掲示物、または美術品、商品、商品サンプルなどの展示物であり、１０２は無線タグ（ＲＦＩＤ）であり、１０３は利用者が使用する情報提供端末である。１０４は情報提供装置であり、情報提供端末１０３との通信を制御する端末接続部１０５と、主要なデータ処理を行う情報処理部１０６と、個人情報や提供情報を記録する情報記録部１０７と、外部ネットワークとの通信を制御する外部ネットワーク接続部１０８とで構成される。１０９はインターネットなどのネットワークであり、１１０−１〜１１０−ｎはネットワーク１０９に接続されたＷＷＷサーバなどの情報提供サーバである。
【００２５】
次に、この情報提供システムの動作を図２のフローに従って説明する。
【００２６】
本発明の実施の形態１では、利用者が、情報提供端末１０３を携帯して、掲示物／展示物１０１に近づき、無線タグ１０２の応答が可能なエリアに行くと、情報提供端末１０３は、無線タグ１０２に対して所定形式の信号を送信する（１）。無線タグ１０２は、情報提供端末１０３から送信された信号を受信すると、電磁エネルギーをコンデンサに蓄え、そのエネルギーを利用して、自身の内部に記録されているＩＤと提供情報の掲載のあるＵＲＬを含む情報を情報提供端末１０３に送信する（２）。
【００２７】
図３は、無線タグ１０２が情報提供端末１０３に返信するデータの情報形式の最小構成を示す図である。返信データは、無線タグＩＤと、情報提供用の一つ以上のＵＲＬと、ＵＲＬを表示する、もしくは、ＵＲＬを指定してブラウザを起動するアプリケーションを起動するためのコマンドから構成される。このように単純な構成であるため、無線タグ１０２の記憶容量が数１０Ｋバイトもあれば十分であり、複数のＵＲＬをリストとして送信することも可能である。また、ＵＲＬに関する情報を情報提供端末１０３が認識できる情報に圧縮したり、暗号化したりすることによって、無線タグ１０２が記憶するデータ量および伝送されるデータ量を削減することができ、同時に伝送情報の秘匿性をも向上させることができる。
【００２８】
無線タグからの返信データ（図３）を受信した情報提供端末１０３は、まず、ブラウザなどの提供情報を表示するためのアプリケーションを起動する（３）。次に、返信されたＵＲＬのリストを表示する（４）。ＵＲＬのリストには、情報提供装置１０４の情報記録部１０７内に蓄積されている情報のＵＲＬや、情報提供サーバ１１０−１〜１１０−ｎのうち、提示物または展示物１０１に関連付けられたもののＵＲＬが表示される。ここで、ＵＲＬが複数ある場合は、利用者に選択を促し、選択させる。利用者の選択が完了するかあるいは指定したＵＲＬが１個の場合は情報処理装置１０４に対して情報提供要求を送信する（５）。このとき、情報提供端末１０３と情報提供装置１０４との通信は、端末接続部１０５を情報処理部１０６が制御することによって行われる。
【００２９】
指定されたＵＲＬが情報提供装置１０４の情報記録部１０７内にある場合は、情報処理部１０６が情報記録部１０７と端末接続部１０５を制御することで、情報提供端末１０３の要求に応答する（６）。また、指定されたＵＲＬが、外部ネットワーク上の情報提供サーバ１１０−１〜１１０−ｎにある場合は、情報提供装置１０４は、プロキシサーバとして機能し、情報提供サーバ１１０−１〜１１０−ｎとの接続やデータのキャッシュ、フィルタリングを行う（７）。情報提供装置１０４は外部の情報提供サーバ１１０−１〜１１０−ｎとの仲介を行うことによって、情報提供端末１０３の要求に応答する（８）。このとき、情報提供サーバ１１０−１〜１１０−ｎとの接続は、外部ネットワーク接続部１０８を情報処理部１０６が制御することによって行われる。
【００３０】
なお、無線タグ１０２には展示物または掲示物１０１に関する情報を掲載したＵＲＬのほか、ＵＲＬに変換可能な情報を記録し、情報提供端末１０３からの信号をきっかけとして、この情報提供端末１０３にそのＵＲＬに変換可能な情報を含む情報を返信するようにしてもよい。この場合には情報提供端末１０３はそのＵＲＬに変換可能な情報を情報表示アプリケーションが認識できるＵＲＬに変換し、このＵＲＬを指定して、情報提供装置に接続要求を行うことになる。
【００３１】
以上説明したように、実施の形態１では、無線タグにＵＲＬを記録させ、提供情報自体を情報提供装置１０４で管理することができるようにしたことで、インターネット接続が可能な情報提供端末１０３を用いて提供情報の取得が可能になる。また、情報提供者は複数の掲示物や展示物が存在する場合など、提供情報の更新をＷＷＷサーバ上で行えるための管理、運営が容易となる。また、インターネットのような情報量の豊富な資源も有効に利用できるので、利用者の満足度を向上させることができる。さらに、膨大な数の情報源である他のＵＲＬとのリンクを設定しておくことで、自らが提供情報を更新しなくても最新の情報を提供できる。
【００３２】
（実施の形態２）
次に、本発明の実施の形態２について説明する。この実施の形態２では、掲示物や展示物に関連するキーワードを予め無線タグに登録しておくことで、情報提供端末がキーワードに関する情報検索を自動的に行う。
【００３３】
図４は、この実施の形態２において、無線タグが情報提供端末に送信する送信データの構成を示す図である。図４に示すように、送信データの最小構成は、無線タグＩＤと、情報検索アプリケーションを起動するためのコマンドと、キーワードリストを含む情報提供用の画面データである。
【００３４】
次に、この実施の形態２の動作手順を、図５について説明する。図５はある博物館の展示物をイメージしたものであり、５０１は書画などの展示物、５０２はこの展示物５０１に取り付けられた無線タグ、５０３は情報提供端末である。この情報提供端末は、図１に示したものと同様の情報提供装置１０４を介して外部のネットワーク１０９に接続されているものとする。また、制御フローは図６に示す通りである。
【００３５】
利用者が、情報提供端末５０３を携帯して、展示物５０１に近づき、無線タグ５０２の応答が可能なエリアに行くと、情報提供端末５０３は無線タグ５０２に対して所定形式の信号を送信する（１）。一方、無線タグ５０２は、情報提供端末５０３から送信された信号を受信すると、電磁エネルギーをコンデンサに蓄え、そのエネルギーを利用して、自身の内部に記録されている図４の返信データを、情報提供端末５０３に送信する（２）。
【００３６】
情報提供端末５０３は返信データを受信すると、情報提供用のアプリケーションを起動し、例えば図７に示すような年表の情報提供画面を表示する（３）。検索用のキーワードが複数ある場合は、利用者に選択させる（４）。ここでは、（太字＋下線）で表された文字がキーワードに相当する。利用者にキーワードを選択させると、選択されたキーワードに対する検索要求を情報提供装置１０４に送信する（５）。
【００３７】
指定されたキーワードに対応する表示データが情報記録部１０７内にある場合は、情報提供装置１０４が要求に応答する（６）。一方、指定されたキーワードを用いて、外部ネットワーク上で検索を行う場合は、情報提供装置１０４はプロキシサーバとして機能すると共に、検索エンジンを用いて情報検索を行う（７）。次に、情報提供装置１０４は、検索結果を情報提供端末５０３に返信する（８）。返信結果はＵＲＬリストであり、利用者は、検索結果から所望のＵＲＬを指定して接続要求を情報提供装置１０４に行う（９）。情報提供装置１０４は指定されたＵＲＬとの接続を行い（１０）、情報提供端末１０３は提供情報を表示する（１１）。
【００３８】
ここで、関連するキーワードを情報提供端末５０３が認識できる情報に圧縮したり、暗号化したりすることによって、無線タグ５０２が記録するデータ量および伝送されるデータ量を削減することができ、同時に伝送情報の秘匿性を向上させることができる。
【００３９】
以上説明したように、本発明の実施の形態２は、無線タグ５０２から情報提供端末５０３に対象物に関するキーワードを提供する。情報提供端末５０３に送信されたキーワードと検索エンジンを連動させることにより、情報提供者が用意する情報以外に、インターネット上にある有益な情報を利用して、利用者の満足度を向上させることが可能である。また、情報提供端末５０３が属するＬＡＮ内にデータベースを構築し、このデータベースに登録された情報を用いて情報を提供することができる。この場合、ＬＡＮ内のホームページのＵＲＬを指定するだけなので、利用者の操作や管理運営が容易になる。
【００４０】
（実施形態３）
本発明の実施の形態３について説明する。この実施の形態３では、図１と同様の情報提供装置が個人認証局となって利用者の電子証明書を発行し、その電子証明書を用いて、無線タグが添付された商品の電子商取引を行う。
【００４１】
図８は、本発明の実施の形態３を示すシステム構成図であり、８０１は展示物、ここでは電子商取引を行う商品そのもので、このほか広告ポスターや商品サンプルとすることができる。８０２は無線タグであり、８０３は情報提供端末であり、８０４は情報提供装置であり、８０５はネットワークである。また、８０６−１〜８０６−ｎは電子商取引を行う商品広告提供者の電子商取引システムである。
【００４２】
次に、この実施の形態３の動作手順を、図９に示す制御フローに従って説明する。
【００４３】
利用者が、情報提供端末８０３を携帯して、商品８０１に近づき、無線タグ８０２の応答が可能なエリアに行くと、情報提供端末８０３は、無線タグ８０２に対して所定形式の信号を送信する（１）。無線タグ８０２は、情報提供端末８０３から送信された信号を受信すると、電磁エネルギーをコンデンサに蓄え、そのエネルギーを利用して、自身の内部に記録されている電子商取引用データを情報提供端末８０３に送信する（２）。
【００４４】
情報提供端末８０３が電子商取引用データを受信すると、電子商取引用アプリケーションを起動し、購入設定画面を表示する（３）。次に、情報提供端末８０３は利用者の入力に従って、電子商取引を行うための承認要求を情報提供装置８０４に情報提供端末８０３固有の暗号鍵で暗号化して送信する（４）。
【００４５】
情報提供装置８０４は、情報提供端末８０３を起動する際に登録している端末固有の暗号鍵で復号し、暗号鍵と情報提供端末８０３の貸し出し時に登録している個人情報とが一致していれば、電子証明書を発行し、これを暗号化して情報提供端末８０３に送信する（５）。なお、盗難防止のため、情報提供端末８０３を利用者に貸し出すときは、クレジットカードや個人ＩＤカードなど身分証明のできるものと引き換えに貸し出すので、利用者の個人情報は個人認証のできるカード類から登録できる。従って、クレジットカード番号などと連動させることによって、登録したカード決済による電子商取引が可能となる。
【００４６】
一方、情報提供端末８０３は、情報提供装置８０４からの電子証明書を受信して、個人認証が完了した後、利用者に購入数、支払方法などを入力させ、電子商取引の内容と証明書を端末固有の暗号鍵で暗号化して情報提供装置８０４に送信する（６）。一方、情報提供装置８０４は、電子商取引の内容と証明書を確認後、情報提供装置８０４に固有の暗号鍵で暗号化して電子商取引システム８０６−１〜８０６−ｎに送信する（７）。各広告提供者および商品販売会社の電子商取引システム８０６−１〜８０６−ｎは受信内容を確認し、取引結果を情報提供装置８０４に返答する（８）。情報提供装置８０４は、電子商取引システム８０６−１〜８０６−ｎからの返答内容を確認し、取引結果を情報提供端末８０３に返信する（９）。
【００４７】
以上説明したように、本発明の実施の形態３によれば、情報提供装置８０４が個人認証局となって利用者の電子証明書を発行し、その証明書を用いて、無線タグ８０２が添付された商品等の電子商取引を安全に行うことができる。なお、情報提供端末８０３に発行される電子証明書の有効期間を定め、その期間中使えるように設定することで、頻繁な個人認証のやり取りを削減することができる。また、ある期間有効な電子証明書を使って、複数の商品に対する電子商取引を同じ証明書で行うことも可能となり、これにより安全かつ効率のよいデータ通信が行える。
【００４８】
【発明の効果】
以上のように、本発明によれば無線タグに小さい情報量のＵＲＬを記録しておくことにより、利用者のニーズに応じた情報提供が可能になる。また、無線タグに関連性の強いキーワードを記録させておき、検索エンジンと連動させて、他の情報提供サーバにある情報を検索することで、より多くの情報を利用者に提供できる。さらに、インターネットなどのネットワークを介して電子商取引を行う場合に、一つの情報提供端末に一つの電子証明書を与えるだけで、複数の情報提供サーバと安全に電子商取引ができるという効果が得られる。
【図面の簡単な説明】
【図１】本発明の実施の形態１による情報提供システムを示すシステム構成図
【図２】図１における情報提供システムの動作手順を示すフローチャート
【図３】図１における無線タグが持つデータの構造を示すデータ構造図
【図４】本発明の実施の形態２による情報提供システム内の無線タグが持つデータの構造を示すデータ構造図
【図５】本発明の実施の形態２による情報提供システムの要部を示すシステム構造図
【図６】図５における情報提供システムの動作手順を示すフローチャート
【図７】本発明の実施の形態２における情報提供端末での情報提供画面を示す画面図
【図８】本発明の実施の形態３による情報提供システムを示すシステム構成図
【図９】図８における情報提供システムの動作手順を示すフローチャート
【符号の説明】
１０１，５０１，８０１：掲示物、展示物、１０２，５０２，８０２：無線タグ、１０３，５０３，８０３：情報提供端末、１０４，８０４：情報提供端末、１０５：端末接続部、１０６：情報処理部、１０７：情報記録部、１０８：外部ネットワーク接続部、１０９，８０５：ネットワーク、１１０−１〜１１０−ｎ：情報提供サーバ、８０６−１〜８０６−ｎ：電子商取引システム。
【図１】
2004348243.tif 000003
【図２】
2004348243.tif 000004
【図３】
2004348243.tif 000005
【図４】
2004348243.tif 000006
【図５】
2004348243.tif 000007
【図６】
2004348243.tif 000008
【図７】
2004348243.tif 000009
【図８】
2004348243.tif 000010
【図９】
2004348243.tif 000011